(57)【特許請求の範囲】
【請求項１】
下面側に機能的部品を収容した蓋板部材が、枢着手段を介して底板部材に連結された携帯用小物であって、
前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、
前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、
前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、
前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、
前記中間部材と前記底板部材は、両面が平らな板状であり、前記中間部材は前記底板部材より厚い厚みを有し、前記底板部材と前記中間部材は、同一平面上に整列されたときの下面が面一になるように前記第２枢着手段で連結され、前記蓋板部材の下面には、前記中間部材と前記底板部材の厚みの差を受け入れる切欠きが形成されていること、を特徴とする携帯用小物。
【請求項２】
下面側に機能的部品を収容した蓋板部材が、枢着手段を介して底板部材に連結された携帯用小物であって、
前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、
前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、
前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、
前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、
前記第１枢着手段と、前記第２枢着手段は、それぞれ第１ヒンジと、第２ヒンジであり、前記第１ヒンジの回転摩擦は、前記第２ヒンジの回転摩擦より小さいこと、を特徴とする携帯用小物。
【請求項３】
前記第２枢着手段で連結された前記底板部材と前記中間部材とが同一平面上に整列されたときの、前記底板部材と前記中間部材の全体の外周輪郭は、前記蓋板部材の外周輪郭とほぼ同一に形成され、かつ、前記底板部材と前記中間部材とは、互いに相補的な形状を有することを特徴とする請求項１又は２に記載の携帯用小物。
【請求項４】
前記第１ストッパは、前記蓋板部材が中間板部材に対して、前記第１枢着手段を中心として開く方向に回転するとき、前記蓋板部材の周縁部が中間板部材に当接して、相互回転が阻止されること、を特徴とする請求項１及至３のいずれか１項に記載の携帯用小物。
【請求項５】
前記第２ストッパは、前記中間部材を前記底板部材に対して開く方向に回転させたとき、前記中間部材が前記底板部材の周縁部に当接して、相対的な回転が阻止されるようになっていること、を特徴とする請求項１乃至４のいずれか１項に記載の携帯用小物。
【請求項６】
前記中間部材は、前記蓋板部材の所定位置に設けられた前記第１枢着手段と、前記底板部材の所定位置に設けられた前記第２枢着手段とを連結するように、アーム状に形成されていること、を特徴とする請求項１及至５のいずれか１項に記載の携帯用小物。
【請求項７】
下面側に機能的部品を収容するようになった蓋板部材が、枢着手段を介して底板部材に連結された携帯用小物であって、
前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、
前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、
前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、
前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、
前記中間部材と前記底板部材は、両面が平らな板状であり、前記中間部材は前記底板部材より厚い厚みを有し、前記底板部材と前記中間部材は、同一平面上に整列されたときの下面が面一になるように前記第２枢着手段で連結され、前記蓋板部材の下面には、前記中間部材と前記底板部材の厚みの差を受け入れる切欠きが形成されていること、を特徴とする携帯用小物用ケーシング。
【請求項８】
下面側に機能的部品を収容するようになった蓋板部材が、枢着手段を介して底板部材に連結された携帯用小物であって、
前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、
前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、
前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、
前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、
前記第１枢着手段と、前記第２枢着手段は、それぞれ第１ヒンジと、第２ヒンジであり、前記第１ヒンジの回転摩擦は、前記第２ヒンジの回転摩擦より小さいこと、を特徴とする携帯用小物用ケーシング。
【発明の詳細な説明】
【０００１】
【産業上の利用分野】
本発明は、例えば、鏡や時計等の機能的部品を有する携帯用小物に関する。
【０００２】
【従来技術】
従来より、開閉可能なケーシングと、例えば、鏡や時計等の機能的部品とを有する携帯用小物であって、携帯するときはケーシングを閉じて、機能的部品を破損しないようにケーシングの内部に収め、使用するときは機能的部品が見えるようにケーシングを開き、この状態で機能的部品をケーシングで支持してテーブル等に設置するようになっている携帯用小物が知られている。
そのような携帯用小物の典型的なものは、下面側に機能的部品が収容された蓋板が、蓋板とほぼ同じ外周輪郭を有する底板に、それぞれの基端部分が互いに１つのヒンジで連結されている。それを携帯するときには、底板の上に蓋板が整合する閉じた状態にして、機能的部品を保護するように内部に収め、他方、使用するときは、蓋板を底板に対して開く方向に回転させ、およそ３００°の開いた位置で、蓋板が底板のヒンジ周辺の周縁に当接して、それ以上の回転が阻止されるようになっている。この状態で底板をテーブル等に設置し、蓋板に設けられた機能的部品を起立させ、機能的部品を置き鏡等として使用する。
【０００３】
【発明が解決しようとする課題】
特に、鏡等の携帯用小物は女性によって使用される場合が多く、蓋板と底板とを重ねた閉じた状態で携帯するという商品の特性上、機能的部品自体の機能の他、閉じた状態での外観の美しさが重視される。特に、閉じた状態で掌に載せた時に上を向く蓋板の外面のデザインは、意匠デザイナーが美的に工夫をこらす部分である。
しかし、上記の典型的な携帯用小物では、閉じた状態から、蓋板を底板に対してヒンジを中心として開く方向に約３００°回転させる過程で、底板のヒンジ周辺の基端部分が蓋板のヒンジ周辺の基端部分と干渉して、それ以上の回転が阻止されてしまうのを回避するため、蓋板のヒンジ周辺部分の干渉を引き起こす部分にアーチ形状の切欠きを形成し、底板の基端部分が回転して通り抜けるのを許容するようになっていた。従って、例えば、蓋板を、自社の商標やアニメのキャラクター等のデザインに形成したような場合にも、蓋板に切欠きが形成されていたために外観デザインの美観が損なわれるという問題があった。また、デザインする際、切欠きの形成を考慮に入れなければならなかったために、結局、所望のデザインとすることはできず、外観デザインの選択の自由度が制約されてしまっていた。
【０００４】
従って、本発明は、携帯用小物としての構造的安定性、及び、容易な開閉動作を担保しつつ、特に蓋板の外観が美しく、また、外観デザインに制約を与えない、蓋板と底板の連結部を有する携帯用小物を提供することを目的とする。
【０００５】
【課題を解決するための手段】
本発明の目的は、下面側に機能的部品を収容した蓋板部材が、枢着手段を介して底板部材に連結された携帯用小物であって、前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、
前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、前記中間部材と前記底板部材は、両面が平らな板状であり、前記中間部材は前記底板部材より厚い厚みを有し、前記底板部材と前記中間部材は、同一平面上に整列されたときの下面が面一になるように前記第２枢着手段で連結され、前記蓋板部材の下面には、前記中間部材と前記底板部材の厚みの差を受け入れる切欠きが形成されていること、を特徴とする携帯用小物によって達成される。
【０００６】
また、本発明の目的は、下面側に機能的部品を収容した蓋板部材が、枢着手段を介して底板部材に連結された携帯用小物であって、前記枢着手段は、第１回転軸線を有する第１枢着手段と、前記第１回転軸線と平行な第２回転軸線を有する第２枢着手段と、中間部材とを有し、該中間部材は第１枢着手段を介して前記蓋板部材と連結され、かつ、前記第２枢着手段を介して前記底板部材と連結され、前記蓋板部材が前記底板部材に対して閉じた位置では、前記底板部材が前記中間部材と同一平面上に整列され、前記第１枢着手段を中心として前記蓋板部材が前記底板部材と前記中間部材の上に整合し、前記底板部材及び／又は前記蓋板部材の下面は、前記蓋板部材を平面視において、前記第１枢着手段が前記蓋板部材の外周輪郭から突出しないように、前記第１枢着手段を収納する収納空間を有し、前記蓋板部材と前記中間部材の少なくとも１つに、前記蓋板部材が前記中間部材に対して、前記第１枢着手段を中心に前記閉じた位置から開く方向に１８０°以上回転するのを阻止する第１ストッパが設けられ、前記蓋板部材と前記中間部材と前記底板部材の少なくとも１つには、前記中間部材が、前記底板部材と同一平面をなす位置から、第２枢着手段を中心として開く方向に９０°以上且つ１８０°未満の範囲内に含まれる角度以上、回転するのを阻止する第２ストッパが設けられ、前記第１枢着手段と、前記第２枢着手段は、それぞれ第１ヒンジと、第２ヒンジであり、前記第１ヒンジの回転摩擦は、前記第２ヒンジの回転摩擦より小さいこと、を特徴とする携帯用小物によっても達成することができる。
【０００７】
また、本発明の好ましい実施態様においては、前記第２枢着手段で連結された前記底板部材と前記中間部材とが同一平面上に整列されたときの、前記底板部材と前記中間部材の全体の外周輪郭は、前記蓋板部材の外周輪郭とほぼ同一に形成され、かつ、前記底板部材と前記中間部材とは、互いに相補的な形状を有するように構成されている。
更に、本発明の好ましい実施態様においては、前記第１ストッパは、前記蓋板部材が中間板部材に対して、前記第１枢着手段を中心として開く方向に回転するとき、前記蓋板部材の周縁部が中間板部材に当接して、相互回転が阻止される。
更に、本発明の好ましい実施態様においては、前記第２ストッパは、前記中間部材を前記底板部材に対して開く方向に回転１させたとき、前記中間部材が前記底板部材の周縁部に当接して、相対的な回転が阻止されるようになっている。
更に、本発明の好ましい実施態様においては、前記中間部材は、前記蓋板部材の所定位置に設けられた前記第１枢着手段と、前記底板部材の所定位置に設けられた前記第２枢着手段とを連結するように、アーム状に形成されている。
【０００８】
【作用】
本発明による携帯用小物は、蓋板部材の下面側に収容された機能的部品が損傷しないように、蓋板部材が、底板部材と中間部材との上に整合した、閉じた状態で携帯される。機能的部品を使用するときは、蓋板部材を、底板部材と中間部材に対して開く方向に、第１枢着手段を中心として回転させる。１８０°だけ開く方向に回転させた位置で、蓋板部材の中間部材に対する相対的な回転が第１ストッパで阻止される。蓋板部材に対する相対的な回転が阻止された中間部材は、蓋板部材を底板部材に対して、更に、開く方向に回転させると、蓋板部材と一体となって、第２枢着手段を中心として回転する。すなわち、回転中心が第１枢着手段から第２枢着手段へと移行する。更に、蓋板部材と一体となって回転する中間板部材が、第２枢着手段を中心として、中間板部材と底板部材とが同一平面をなす位置を基準として９０°以上且つ１８０°未満の範囲内に含まれる角度位置まで回転したとき、この位置で、蓋板部材、中間板部材及び底板部材の少なくとも１つに設けられた第２ストッパにより、更なる相対的な回転が阻止される。この状態で、底板部材をテーブル等に設置し、機能的部品を起立させて使用する。このような携帯用小物は、閉じた位置では、底板部材が中間部材と同一平面上に整列され、中間部材は底板部材とともに、携帯用小物の下に重なり、また、底板部材及び／又は蓋板部材は、蓋板部材を平面視において、第１枢着手段が蓋板部材の外周輪郭から突出しないように、第１枢着手段を収納する収納空間を有るので、これらによって、蓋板部材の上面の外観デザインの美観が損ねられず、また、外観デザインに制約を与えることがない。
【０００９】
また、本発明によれば、蓋板部材は中間部材に対して１８０°まで回転し、更に、中間部材は底板部材に対して９０°以上且つ１８０°未満の範囲内に含まれる角度だけ回転するように構成されているので、携帯用小物を完全に開いた位置では、機能的部品が設けられた蓋板部材を設置したとき、設置した面を基準として９０°以上１８０°未満の範囲内に含まれる角度で起立する姿勢となり、機能的部品を見ることができる。
また、本発明によれば、中間部材と底板部材は、両面が平らな板状であり、中間部材は底板部材より厚い厚みを有し、底板部材と中間部材は、同一平面をなすときの下面が面一になるように第２枢着手段で連結され、蓋板部材の下面には、中間部材と底板部材の厚みの差を受け入れる切欠きが形成されている。従って、底板部材の厚みは、携帯用小物をテーブル等に設置するときの基底部としてとしての役割を果たすのに足る強度を有する薄さとし、これにより、携帯用小物自体をなるべく軽くすることができる。他方、中間部材は、底板部材より厚い厚みとし、機能的部品を起立させた姿勢で、蓋板部材を確りと支持する強度及び剛性を得ることができる。また、中間部材は、下面が面一になるように第２枢着手段で連結されているので、閉じた状態で置いたときのがたつきを防止することができる。更に、蓋板部材の下面には、中間部材と底板部材の厚みの差を受け入れる切欠きが形成されているので、携帯用小物の閉じた状態で、蓋板部材と底板部材とをぴったりと閉じることができる。従って、携帯用小物の外観デザインに影響を与えることなく、構造上の安定性を担保することができる。
【００１０】
更に、本発明の別の観点においては、第１枢着手段と第２枢着手段は、それぞれ第１ヒンジと第２ヒンジであり、第１ヒンジの回転摩擦は第２ヒンジの回転摩擦より小さいので、第１ヒンジから第２ヒンジへの回転中心の移行が適確に行われ、開閉動作が容易である。
また、本発明の実施形態においては、第２枢着手段で連結された底板部材と中間部材とが同一平面をなすときの、底板部材と中間部材の全体の外周輪郭は、蓋板部材の外周輪郭とほぼ同一に形成され、かつ、底板部材と中間部材とは、互いに相補的な形状を有するので、閉じた状態で、携帯用小物の上側と底側の一体的な外観を得ることができる。
更に、本発明の実施態様によれば、第１ストッパは、蓋板部材が中間板部材に対して、第１枢着手段を中心として開く方向に回転するとき、蓋板部材の周縁部が中間板部材に当接して、相互回転が阻止されるので、蓋板部材を底板部材に対して、単に、開く方向に回転させるだけで、回転中心が第１枢着手段から第２枢着手段へと移行されるので、特別な操作なしで、開閉動作を行うことができる。
【００１１】
更に、本発明の実施態様によれば、第２ストッパは、中間部材が底板部材に対して開く方向に回転した位置で、中間部材が底板部材の周縁部に当接して、相対的な回転が阻止されるようになっているので、蓋板部材を底板部材に対して、開く方向に単に回転させるだけで、容易に相対的な回転が阻止され、開閉動作が容易である。
また、本発明の実施態様によれば、中間部材は、蓋板部材の所定位置に設けられた第１枢着手段と、底板部材の所定位置に設けられた第２枢着手段とを連結するように、アーム状に形成されているので、蓋板部材の外周輪郭の形状に係わらず、蓋板部材の内側の所望の箇所と底板部材の所望の箇所とを連結することができ、蓋板部材のいかなる外周輪郭にも対応することができ、外観デザインに制約を与えることがない。
【００１２】
【実施例】
本発明にかかる携帯用小物について、携帯用置き鏡を例として説明する。
図１は、本発明にかかる携帯用置き鏡の閉じた状態の平面図である。
また、図２は、図１に示す携帯用置き鏡の裏面図である。
図１及び図２を参照すると、携帯用置き鏡２は、閉じた状態で底部を構成する、両面が平らなパネル状の底板部材４と、両面が平らで、アーム状に形成された一対の中間部材８とを有し、両者は、同一平面をなすように一対の第２ヒンジ１０を介して連結されている。また、携帯用置き鏡２の閉じた状態で、蓋板部材６が、底板部材４と中間部材８の上に整合して設けられている。中間部材８と蓋板部材６は、回転軸線が第２ヒンジ１０と平行に設けられた一対の第１ヒンジ１２を介して連結されている。底板部材４には、蓋板部材を図１に示すように平面視したときに、第１枢着手段が蓋板部材の外周輪郭から突出しないように、第１ヒンジを収納する収納空間１１が形成されている。
図１に示すように、蓋板部材６の上面全体は連続的かつ一体的な花形に形成されている。また、図２に示す、閉じた状態で同一平面をなす、第２ヒンジ１０で連結された底板部材４と中間部材８の全体の外周輪郭は、蓋板部材６の外周輪郭とほぼ同一の花形に形成さている。更に、底板部材４と中間部材８のそれぞれのは、互いに相補的形状を有し、両者で花形の形状を形成するようになっており、携帯用小物２の閉じた状態での表側及び底側の外観デザインの一体性が維持されるようになっている。
【００１３】
図３は、図１及び図２に示す携帯用置き鏡２の蓋板部材６と底板部材４を、第１ヒンジ１２を中心として互いに開く方向に１８０°回転させた状態を示す平面図であり、図１及び図２の閉じた状態での蓋板部材６の下面と底板部材３の上面を示す。
図３に示すように、蓋板部材６の下面には鏡１４が設けられている。
また、第２ヒンジ１０は、底板部材４の縁部に、底板部材４の左右対称線に対し左右対称に間隔を隔てて設けられている。また、第１ヒンジ１２は、蓋板部材６の最も底板部材４に近い部分である、２つの湾曲した花びらの縁部の下面に設けられている。中間部材８は、底板部材４に設けられた第２ヒンジ１０と、蓋板部材６に設けられた第１ヒンジ１２を連結したアーム形状に形成されている。
また、第１ヒンジ１２の回転摩擦は第２ヒンジ１０の回転摩擦より小さく構成され、蓋板部材６を底板部材４に対して開く方向に回転させるとき、まず、第１ヒンジ１２を中心として蓋板部材６が中間部材８に対して回転し、次いで、第２ヒンジ１０を中心として中間部材８が蓋板部材６に対して回転する。また、第２ヒンジ１０の回転摩擦は、蓋板部材が底板部材に対して閉じた位置で、底板部材４と中間部材８とが第２ヒンジ１０を中心として不用意に回転してしまうのを防止する大きさに構成され、携帯用置き鏡２の閉じた状態を維持するようになっている。
【００１４】
図４は、携帯用置き鏡２を完全に開いた、使用時の状態を示す斜視図であり、図３に示す携帯用置き鏡２の中間部材８を底板部材４に対して、第２ヒンジ１０を中心として更に約１２０°開き、蓋板部材６に設けられた鏡１４が起立するように底板部材４を設置したところを示す。
図４に符号１６で示す蓋板部材６の周縁部は、中間部材８と蓋板部材６との間の相対的な回転を阻止するためのストッパ１６としての役割を果たす。すなわち、第１ヒンジ１２の回転軸線は、蓋板部材６の縁部の下面の下方を通っているので、蓋板部材６が中間部材８に対して、第１ヒンジ１２を中心として、上記閉じた位置から開く方向に１８０°回転した位置で、第１ヒンジ１２が設けられた蓋板部材６の縁部の下面が中間部材８に当接し、それ以上の相対的な回転が阻止されるようになっている。
また、図４に符号１８で示す底板部材４の周縁部は、中間部材１０と底板部材４との間の相対的な回転を阻止するための第２ストッパ１８としての役割を果たす。すなわち、中間部材８が、底板部材４と同一平面をなす位置から、底板部材４に対して開く方向に約１２０°回転した位置で、中間部材８が底板部材４の周縁部に当接して、それ以上の相対的な回転が阻止されるようになっている。
【００１５】
底板部材４と中間部材８は、それぞれ両面が平らな板状である。底板部材４の厚さは、携帯用置き鏡２自体をなるべく軽くするため、携帯用置き鏡２をテーブル等に設置するときの基底部としてとしての役割を果たすのに足る強度を有する薄い厚みを有する。他方、中間部材８は、図４に示す鏡１４が起立する姿勢で、蓋部４を安定して支持する強度及び剛性を得るため、底板部材４より厚い厚みを有する。底板部材４と中間部材８は、同一平面上に整列した閉じた状態で、携帯用置き鏡２の底部を構成するので、閉じた状態で置いたときのがたつきを防止するために、下面が面一になるように第２ヒンジ１０で連結されている。また、閉じた状態で、蓋板部材６と底板部材４とがぴったりと閉じるように、蓋板部材６の下面には、中間部材８と底板部材４の厚みの差を受け入れる切欠き２０が形成されている。
このように構成された携帯用置き鏡２は、蓋板部材６の下面に設けられた鏡１４が損傷しないように、蓋板部材６が底板部材４と中間部材８の上に整合した、閉じた状態で携帯される。鏡１４を使用するときは、蓋板部材６を、底板部材４と中間部材８に対して第１ヒンジ１２を中心として、開く方向に回転させる。第１ヒンジ１２の回転軸線が蓋板部材６の周縁部の下面の下方を通るように設けられているので、蓋板部材６を中間部材８対して１８０°開いたとき、第１ヒンジ１２が設けられた蓋板部材６の周縁部の下面が、第１ストッパ１６としての役割を果たし、中間部材８が蓋板部材６の下面に当接して、蓋板部材６の中間部材８に対するそれ以上の相対的な回転が阻止される。蓋板部材６に対する相対的な回転が阻止された中間部材８は、蓋板部材６を底板部材４に対して開く方向に更に回転させると、蓋板部材６と同一平面上に整列して一体的に第２ヒンジ１０を中心として回転し、回転中心が第１ヒンジ１２から第２ヒンジ１０へと移行される。
【００１６】
従って、更に、一体になって回転する蓋板部材６と中間部材８を、図２及び図３に示す底板部材４と中間部材８がなす同一平面を基準として、更に約１２０°開く方向に回転させたとき、中間部材８が第２ストッパ１８としての役割を果たす底板部材４の周縁部に当接して、それ以上の相対的な回転が阻止される。図４に示すように、この角度位置で底板部材４を基底部としてテーブル等に設置すると、蓋板部材６の下面に設けられた鏡１４が垂直方向に対して約３０°の傾斜角度をもって起立した状態で支持される。
実施例によれば、第１ヒンジ１２の回転軸線が、蓋板部材６の周縁部下面の下方を通るようにに設けられ、更に、携帯用置き鏡２の閉じた状態で、中間部材８は、携帯用置き鏡２の底部の一部を構成し、蓋板部材６の下に整合しているので、これらによって、蓋板部材６の上面の外観デザインの美観が損ねられず、また、外観デザインに制約を与えることがない。また、蓋板部材６を底板部材４に対して、単に、開く方向に回転させるだけで、回転中心が第１ヒンジ１２から第２ヒンジ１０へと移行されるので、特別な操作なしで、開閉動作を行うことができる。
【００１７】
また、底板部材４と中間部材８のそれぞれの外周輪郭は、全体で、蓋板部材６の外周輪郭である花形を構成し、また、それぞれは、互いに相補的形状を有し、両者で花形形状を形成するようになっているので、携帯用置き鏡２の閉じた状態で、携帯用置き鏡２の上側と底側の一体的なデザインを担保することができ、美観を損ねることがない。
更に、蓋板部材６は、底板部材４と中間部材８がなす同一平面を基準として、１２０°開く方向に回転させた角度位置で、すなわち、垂直方向に対して開く方向に傾斜した角度位置で起立するようになっているので、蓋板部材６と一体となって回転する中間部材８が、蓋部６と鏡１４の重さで底板部材４の周縁部の第２ストッパ１８に押しつけられ、安定して起立姿勢が保たれる。
また、中間部材８はアーム状に形成されているので、蓋板部材６の外周輪郭の形状に係わらず、蓋板部材６の所定箇所と底板部材４の所定箇所とを連結することができ、いかなる外観輪郭にも対応することができ、外観デザインに制約を与えることがない。
また、第２ヒンジ１０で底板部材４に、底板部材４の左右対称線に対して左右対称に間隔を隔てて設けられているので、第１ヒンジ１２及び第２ヒンジ１４の回転軸線方向に対して垂直方向の軸線を中心とする、蓋板部材６と底板部材４との間のがたつきを防止することができる。
【００１８】
本発明は、以上の実施例に限定されることなく、特許請求の範囲に記載された発明の範囲内で種々の変更が可能であり、それらも本発明の範囲内に包含されるものであることはいうまでもない。
また、本実施例においては、底板部材４と中間部材８の全体の外周輪郭は、蓋板部材６の外周輪郭と同様に形成されているが、互いに異なる外周輪郭をもつ外観デザインに形成されていてもよい。
また、本実施例においては、蓋板部材６の下面に鏡１４が設けられているが、携帯し、使用するときに設置して見る、例えば、時計等の他の機能的部品であってもよい。更に、必ずしも機能的な部品でなくてもよく、例えば、写真等であってもよい。
本実施例の携帯用置き鏡２は、底板部材４を基底部としてテーブル等に設置するようになっているが、蓋板部材６と底板部材４の側縁部を直線で形成し、側縁部を基底部として、使用時の開いた状態の携帯用置き鏡２を横に倒した状態で設置するように構成されていてもよい。
前記実施例における携帯用置き鏡は、第２ヒンジ１０と第１ヒンジ１２とを有するが、これらは一体成形された枢着手段であってもよい。
【００１９】
【発明の効果】
本発明によれば、携帯用小物としての構造的安定性、及び、容易な開閉動作を担保しつつ、特に蓋板の外観が美しく、また、外観デザインに制約を与えない、蓋板部材と底板の連結部を有する携帯用小物を提供することができる。
【図面の簡単な説明】
【図１】図１は、本発明にかかる携帯用置き鏡の閉じた状態の平面図である。
【図２】図２は、図１に示す携帯用置き鏡の裏面図である。
【図３】図３は、図１及び図２に示す携帯用置き鏡２の蓋板部材６と底板部材４を、第１ヒンジ１２を中心として互いに開く方向に１８０°回転させた状態を示す平面図である。
【図４】図４は、携帯用置き鏡２を完全に開いた、使用時の状態を示す斜視図であり、図３に示す携帯用置き鏡２の中間部材１０を底部に対して、第２ヒンジ１０を中心として更に約１２０°開き、蓋板部材６に設けられた鏡１４が起立するように底板部材４を基底部として設置したところを示す。
【符号の説明】
２  携帯用置き鏡
４  底板部材
６  蓋板部材
８  中間部材
１０  第２ヒンジ
１１  収納空間
１２  第１ヒンジ
１４  鏡
１６  第１ストッパ
１８  第２ストッパ
２０  切欠き
【図１】
0003561331.tif 000002
【図２】
0003561331.tif 000003
【図３】
0003561331.tif 000004
【図４】
0003561331.tif 000005